(57)【要約】【課題】スリットにより形成された隣接する分割片が長期間に亘り、洗浄水等により張り付くこと無く、洗い残しの発生が無い高い洗浄性能、及び静音性能を有すると共に、凍結が防止される洗車機用洗浄ブラシのブラシ片、及びそのブラシ片を配した洗車機用洗浄ブラシ、及びその洗車機用洗浄ブラシを搭載した洗車機を提供する。【解決手段】自動車あるいは車両の外面の被洗浄面に付着した汚れ等を洗浄する為の洗車機用洗浄ブラシのブラシ片１において、前記ブラシ片１は、スリット２により形成された分割片３、１３を有し、前記スリット２の形成領域２０内の少なくとも一片の前記分割片１３の表面に加圧痕４が形成されてあると共に、前記加圧痕４を有する前記分割片１３が立体的に形成されてあるものである。【選択図】      図２
2008132824.tif 000002
【特許請求の範囲】
【請求項１】
自動車あるいは車両の外面の被洗浄面に付着した汚れ等を洗浄する為の洗車機用洗浄ブラシのブラシ片において、前記ブラシ片は、スリットにより形成された分割片を有し、前記スリットの形成領域内の少なくとも一片の前記分割片の表面に加圧痕が形成されてあると共に、前記加圧痕を有する前記分割片が立体的に形成されてあることを特徴とする洗車機用洗浄ブラシのブラシ片。
【請求項２】
請求項１記載の構成よりなる洗車機用洗浄ブラシのブラシ片において、前記分割片は捩じられて形成されてあることを特徴とする洗車機用洗浄ブラシのブラシ片。
【請求項３】
請求項１から２記載の構成よりなる洗車機用洗浄ブラシのブラシ片において、前記加圧痕は前記分割片を横断して形成されてあることを特徴とする洗車機用洗浄ブラシのブラシ片。
【請求項４】
請求項１から３記載の構成よりなる洗車機用洗浄ブラシのブラシ片において、前記加圧痕は熱加圧にて形成されてあることを特徴とする洗車機用洗浄ブラシのブラシ片。
【請求項５】
軸体及び請求項１から４のいずれか１項に記載の洗車機用洗浄ブラシのブラシ片を有し、前記軸体の外周部に前記ブラシ片が形成されてあることを特徴とする洗車機用洗浄ブラシ。
【請求項６】
駆動源と、被洗浄面に散布する洗浄剤及び洗浄水を噴出させるノズルと、洗浄後の被洗浄面を乾燥させる乾燥手段を備えると共に、請求項５記載の洗車機用洗浄ブラシを搭載した洗車機。
【発明の詳細な説明】
【技術分野】
【０００１】
本発明は、自動車あるいは車両の外面の被洗浄面に付着した汚れ等を洗浄する為の洗車機に使用する洗車機用洗浄ブラシのブラシ片、及びそのブラシ片を配した洗車機用洗浄ブラシ、及びその洗車機用洗浄ブラシを搭載した洗車機に関するものである。
【背景技術】
【０００２】
自動車あるいは車両の外面の被洗浄面に付着した汚れ等を洗浄する為の洗車機に使用する洗浄ブラシのブラシ片、そのブラシ片を配した洗浄ブラシ、及びその洗浄ブラシを搭載した洗車機に関しては、使用目的に応じて、さまざまな改良がなされ、例えば、一側がフリンジ成形スリットで多数のフリンジ片に細分され、さらにこのフリンジ片の先端部が、先端分割スリットで複数の先端片に分割された合成樹脂発泡体製の自動洗車ブラシ用洗浄シートにおいて、先端分割スリットの内端部に窪み状の押し潰し痕が形成されていることを特徴とする自動洗車ブラシ用洗浄シートが、実用新案登録第３０８７１４３号に開示されてある。
【０００３】
また、一側がフリンジ成形スリットで多数のフリンジ片に細分され、さらにこのフリンジ片の先端部が、先端分割スリットで複数の先端片に分割された合成樹脂発泡体製の自動洗車ブラシ用洗浄シートにおいて、先端分割スリットの内端部付近に窪み状の押し潰し痕である末端凹部が形成されていると共に、先端片の先端分割スリット側の側縁部に窪み状の押し潰し痕である中間凹部が形成されていることを特徴とする自動洗車ブラシ用洗浄シートが、実用新案登録第３０８９７６０号に開示されてある。
【０００４】
【特許文献１】実用新案登録第３０８７１４３号
【特許文献２】実用新案登録第３０８９７６０号
【発明の開示】
【発明が解決しようとする課題】
【０００５】
従来の洗車機用洗浄ブラシのブラシ片、そのブラシ片を配した洗浄ブラシ、及びその洗浄ブラシを搭載した洗車機は、例えば、上記の如くの特徴を有する技術が開示されてあるが、実用新案登録第３０８７１４３号に開示されてある技術においては、窪み状の押し潰し痕の残留歪みにより、一時的に先端片をＶ字形に開かせ、互いに離れてばらけたものにすることはできる。しかしながら、前記押し潰し痕は、先端分割スリットの内端部に一箇所形成されているだけなので、残留歪みの効果が弱く、洗車を繰り返すうちに、隣接する先端片が洗浄水等により互いに張り付き、長期間に亘って、先端片を互いに離れさすことができなかった。その為、互いに張り付いた先端片が一体化し、先端片は均一に被洗浄面に当接することができないので、洗い残しが発生し、洗浄性能が劣るという課題があった。
【０００６】
また、先端片は、概Ｖ字状の平板形状に形成された平面にて被洗浄面にたいして当接するので、洗車時にバタツキ音が発生するという課題を有していた。
【０００７】
さらに、隣接する先端片が洗車を繰り返すうちに洗浄水等により互いに張り付く為、冬季、特に寒冷地において先端片が凍り付き、凍結した先端片が被洗浄面にたいして洗車傷を付着させるという課題も有していた。
【０００８】
また、実用新案登録第３０８９７６０号に開示されてある技術においては、複数の窪み状の押し潰し痕が先端分割スリットの内端部近傍、及び側縁部に形成されているので、前記実用新案登録第３０８７１４３号に開示されてある技術に比べて、押し潰し痕の残留歪みによる効果が発揮され、長期間に亘り、先端片をＶ字形に開かせることは可能である。しかしながら、先端片は、概Ｖ字状の平板形状に形成されている為、隣接する概Ｖ字状の先端片が互いに重なり合った場合、洗浄水等により互いに張り付いてしまい、被洗浄面に付着している汚れの掻き取り性能が劣り、洗浄性能が劣化するという課題を有していた。
【０００９】
本発明は、上記従来の課題を解決するもので、スリットにより形成された隣接する分割片が長期間に亘り、洗浄水等により張り付くこと無く、洗い残しの発生が無い高い洗浄性能、及び静音性能を有すると共に、凍結が防止される洗車機用洗浄ブラシのブラシ片、及びそのブラシ片を配した洗車機用洗浄ブラシ、及びその洗車機用洗浄ブラシを搭載した洗車機を提供することを目的としている。
【課題を解決するための手段】
【００１０】
前記従来の課題を解決する為に、本発明の洗車機用洗浄ブラシのブラシ片は、自動車あるいは車両の外面の被洗浄面に付着した汚れ等を洗浄する為の洗車機に使用する洗車機用洗浄ブラシのブラシ片において、前記ブラシ片は、スリットにより形成された分割片を有し、前記スリットの形成領域内の少なくとも一片の前記分割片の表面に加圧痕が形成されてあると共に、前記加圧痕を有する前記分割片が立体的に形成されてあるもので、加圧痕が形成された分割片は、加圧痕を境にして所定角度だけ三次元的に屈曲変形されてある為、隣接する分割片が長期間に亘り、洗浄水等により張り付くことが無い。その為、分割片が一体化すること無く、被洗浄面に当接するので、洗い残しの発生が防止されると共に、立体的に形成された分割片が被洗浄面に付着している汚れを掻き取り、ブラシ片は高い洗浄性能を有する。
【００１１】
なお、加圧痕による分割片の立体的な形成状態については、屈曲、折れ、捩れ、曲げ等、分割片が加圧痕を有しない分割片にたいして三次元的に形成されてある状態であるならば、いかなる状態も採用できる。
【００１２】
また、分割片は加圧痕により立体的に形成されているので、分割片の平面部が同時に被洗浄面に当接することが無い。その為、ブラシ片が被洗浄面に当接する際のバタツキ音が抑制、低減される。
【００１３】
さらに、隣接する分割片が洗浄水等により張り付くことが無いので、ブラシ片の凍結が防止される。
【００１４】
また、本発明の洗車機用洗浄ブラシは、軸体及び請求項１から４のいずれか１項に記載の洗車機用洗浄ブラシのブラシ片を有し、前記軸体の外周部に前記ブラシ片が形成されてあるもので、ブラシ片に形成された分割片が加圧痕を境にして三次元的に形成されてある為、洗い残しの発生が無い、高い洗浄性能を有する。
【００１５】
また、本発明の洗車機は、駆動源と、被洗浄面に散布する洗浄剤及び洗浄水を噴出させるノズルと、洗浄後の被洗浄面を乾燥させる乾燥手段を備えると共に、請求項５に記載の洗車機用洗浄ブラシを搭載したもので、洗い残しの無い高い洗浄性能を有する洗車機用洗浄ブラシが搭載されてある為、洗車機は、駆動源により洗車機用洗浄ブラシの回転を低速に設定すると共に、洗浄時間を短時間に設定した場合においても、優れた洗浄性能が発揮される。また、洗車機用洗浄ブラシが回転して被洗浄面に当接する際、ブラシ片のバタツキ音の発生を抑えることが可能である。さらに、ブラシ片の凍結が防止されるので、被洗浄面にブラシ片による洗車傷を付着させることが無い。
【発明の効果】
【００１６】
請求項１の発明においては、ブラシ片は高い洗浄性能、及び静音性能を有すると共に、優れた凍結防止性能を発揮することができる。
【００１７】
請求項２の発明においては、捩り部により、被洗浄面に強固に付着している汚れを掻き出すことができるので、洗浄性能が向上する。
【００１８】
請求項３の発明においては、加圧痕が分割片を横断して形成されてある為、加圧痕による屈曲、折れ等の変形による立体的な形成を確実にすることができる。従って、立体的に確実に形成された複数の分割片が被洗浄面に当接する為、被洗浄面の曲線部分にたいしても容易にブラシ片が当接し、汚れを除去することができるので、洗浄性能が大幅に向上する。
【００１９】
請求項４の発明においては、熱加圧された分割片が強固に立体形状を形成する為、ブラシ片の毛腰を強く設定して被洗浄面に当接させることができるので、洗浄性能が飛躍的に向上する。
【００２０】
請求項５の発明においては、洗い残しの無い高い洗浄性能を有する洗車機用洗浄ブラシを提供することができる。
【００２１】
請求項６の発明においては、被洗浄面にブラシ片による傷を付着させることが無く、優れた洗浄性能と静音性能を有する洗車機を提供することができる。
【発明を実施するための最良の形態】
【００２２】
第１の発明は、自動車あるいは車両の外面の被洗浄面に付着した汚れ等を洗浄する為の洗車機に使用する洗車機用洗浄ブラシのブラシ片において、前記ブラシ片は、スリットにより形成された分割片を有し、前記スリットの形成領域内の少なくとも一片の前記分割片の表面に加圧痕が形成されてあると共に、前記加圧痕を有する前記分割片が立体的に形成されてあるもので、加圧痕が形成された分割片は、加圧痕を境にして所定角度だけ三次元的に屈曲変形されてある為、隣接する分割片が長期間に亘り、洗浄水等により張り付くことが無い。その為、分割片が一体化すること無く、被洗浄面に当接するので、洗い残しの発生が防止されると共に、立体的に形成された分割片が被洗浄面に付着している汚れを掻き取り、ブラシ片は高い洗浄性能を有する。
【００２３】
また、分割片は加圧痕により立体的に形成されているので、分割片の平面部が同時に被洗浄面に当接することが無い。その為、分割片は三次元的に立体的に変形しているので、ブラシ片が被洗浄面に当接する際のバタツキ音を抑制、低減することができる。
【００２４】
さらに、隣接する分割片が洗浄水等により張り付くことが無いので、ブラシ片の凍結を防止することができる。
【００２５】
第２の発明は、特に、第１の発明の洗車機用洗浄ブラシのブラシ片において、前記分割片は捩じられて形成されてあるもので、分割片に形成された捩り部により、被洗浄面に強固に付着している汚れを、掻き出すことができる為、洗浄性能が向上する。
【００２６】
第３の発明は、特に、第１から第２の発明の洗車機用洗浄ブラシのブラシ片において、前記加圧痕は前記分割片を横断して形成されてあるもので、加圧痕による屈曲、折れ等の変形による立体的な形成を確実にすることができる。従って、立体的に確実に形成された複数の分割片が被洗浄面に当接する為、被洗浄面の曲線部分にも容易に分割片が当接することが可能であり、洗浄性能が大幅に向上する。
【００２７】
第４の発明は、特に、第１から第３の発明の洗車機用洗浄ブラシのブラシ片において、前記加圧痕は熱加圧にて形成されてあるもので、熱加圧された分割片が強固に立体形状を形成する。その為、ブラシ片の毛腰を強く設定して被洗浄面に当接させることができるので、洗浄性能が飛躍的に向上する。
【００２８】
第５の発明は、軸体及び第１から第４の発明のいずれか１項に記載の洗車機用洗浄ブラシのブラシ片を有し、前記軸体の外周部に前記ブラシ片が形成されてある洗車機用洗浄ブラシとしたもので、ブラシ片に形成された分割片が加圧痕を境にして三次元的に形成されてある為、洗車機用洗浄ブラシは、洗い残しの発生が無い、高い洗浄性能を有する。
【００２９】
第６の発明は、駆動源と、被洗浄面に散布する洗浄剤及び洗浄水を噴出させるノズルと、洗浄後の被洗浄面を乾燥させる乾燥手段を備えると共に、第５の発明の洗車機用洗浄ブラシを搭載した洗車機としたもので、洗い残しの無い高い洗浄性能を有する洗車機用洗浄ブラシが搭載されてある為、洗車機は、駆動源により洗車機用洗浄ブラシの回転を低速に設定すると共に、洗浄時間を短時間に設定した場合においても、優れた洗浄性能が発揮される。また、洗車機用洗浄ブラシが回転して被洗浄面に当接する際、ブラシ片のバタツキ音の発生を抑えることが可能である。さらに、ブラシ片の凍結が防止されるので、被洗浄面にブラシ片による洗車傷を付着させることが無い。
【００３０】
以下、本発明の実施の形態について図面を参照しながら説明する。なお、この実施の形態により本発明が限定されるものではない。
【００３１】
（実施例１）
図１（Ａ）は、本発明の洗車機用洗浄ブラシを前面側から見た斜視図、図１（Ｂ）は、図１（Ａ）の断面図、図２は、本発明の第１の実施例におけるブラシ片の部分平面図、図３（Ａ）は、ブラシ片の部分拡大斜視図、図３（Ｂ）は、図３（Ａ）の正面図である。
【００３２】
図１（Ａ）、及び図１（Ｂ）において、洗車機用洗浄ブラシ６は、ブラシ片１が、アルミニウム等の金属材料からなる略円筒形状の軸体５の外周等分４箇所に設けられた溝部７に概Ｖ字断面を有するように挿入され、リベット９にて固定して形成されてある。ブラシ片１は、洗浄側に段差状に設けられたスリット２により細分割された複数の分割片３、１３を有し、分割片１３には加圧痕４が形成されている。また、スリット２の軸体５側の端部には円孔１０が設けられている。なお、軸体５の外周面に設けられた溝部７は、等分４箇所以外にも、６箇所、８箇所、１２箇所等、使用目的に応じて、適時、設定できる。
【００３３】
洗車機用洗浄ブラシ６は、次の手順にて製作される。最初に、平板状のブラシ片１を用意する。次いで、ブラシ片１の長手方向の略中央部に、トムソン型等により取付孔（図示せず）を形成する。次に、ブラシ片１の長手方向の略中央部にて二つ折りして、概Ｖ字断面を有するよう形成する。概Ｖ字断面を有するよう形成されたブラシ片１は、軸体５の溝部７に挿入され、前記取付孔にリベット９が挿入されると共に、リベッター等でリベット９を打ち付け、軸体５にブラシ片１が固定されて洗車機用洗浄ブラシ６が製作される。
【００３４】
次に、図２、及び図３を用いて、ブラシ片１について詳述する。
【００３５】
図２において、ブラシ片１は、段差状に設けられたスリット２により細分割された分割片３、１３が形成されてあると共に、分割片１３の表面には加圧痕４が形成されている。加圧痕４は、スリット２のスリット形成領域２０の範囲内において形成されている。スリット２の長さは、２０〜２００ｍｍ程度、分割片３、１３の幅は１〜１０ｍｍ程度に設定される。スリットの長さが２０ｍｍより小の場合、被洗浄面の細かな凹凸部分に分割片３、１３が当接しにくく、洗浄性能が劣ることになり、２００ｍｍを超える場合、分割片３、１３が車体のアンテナやワイパー等の装備品に絡み付きやすくなり、装備品の破損につながる。また、分割片３、１３の幅が１ｍｍより小の場合、分割片３、１３が切れやすく、耐久性が劣り、１０ｍｍを超える場合、分割片３、１３は被洗浄面の細かな凹凸部分に付着している汚れを除去しにくく、洗浄性能が劣ることになる。また、スリット２の端部に形成されている円孔１０は、ブラシ片１の裂けを防止する為に設けられているものである。
【００３６】
スリット２、及び円孔１０は、トムソン型等の切断刃により形成される。加圧痕４は、トムソン型等にスリット形成領域２０の間に、前記切断刃の刃先までの高さより僅かに短い高さの突起を設けておくことにより、トムソン型等が上方からブラシ片１に押し付けられ、スリット２、及び円孔１０を形成する際に、突起が押し付けられることにより形成される。また、スリット２、及び円孔１０を形成した後、スリット形成領域２０の間に突起が設けられた型を押し当てて、加圧痕４を形成しても構わない。
【００３７】
また、加圧痕４は、鏝等の鉄製の道具や突起を加熱して、熱加圧して形成することもできる。熱加圧する場合には、ブラシ片１に使用される材質の融点よりも低く温度設定される必要がある。ブラシ片１の材質の融点以上で熱加圧されると、ブラシ片１が溶融し、分割片１３が切断されることになる。また、超音波、レーザー波等が発生する発熱器具を用いて、熱加圧による加圧痕４を形成することもできる。さらに、超音波溶着、レーザー波溶着、電磁波溶着、高周波溶着等の様々な溶着方法を使用することにより、加圧痕４を形成する形態も採用できる。
【００３８】
上記のように加圧痕４が形成された分割片１３は、加圧痕４が形成される際に発生する残留歪みにより、図３（Ｂ）に示すように、分割片３にたいして傾斜角度θを有し、図３（Ａ）の如く三次元的に立体的に変形して形成される。傾斜角度θは、加圧痕４を形成する際のトムソン型等の押付圧力や押付時間等の条件により、所望の角度に調整できる。傾斜角度θは、隣接する分割片３と分割片１３が洗浄水等により張り付くことが無く、洗い残しの発生を防ぐという観点から、１°〜４５°程度、さらに好ましくは５°〜３０°程度に設定される。
【００３９】
ブラシ片１の材質としては、合成樹脂発泡体、織布、不織布、編物等の布帛、人工皮革、合成皮革、人造皮革等の擬革、本革、フィルム状樹脂組成物、熱可塑性エラストマーシート等が採用される。
【００４０】
上記のように構成されたブラシ片１、及び洗車機用洗浄ブラシ６の動作、作用は下記の通りである。
【００４１】
ブラシ片１は、加圧痕４が形成された分割片１３は、加圧痕４を境にして傾斜角度θだけ三次元的に屈曲変形されてある為、隣接する分割片３と分割片１３が長期間に亘り、洗浄水等により張り付くことが無い。従って、分割片３と分割片１３が一体化することが無く、被洗浄面に当接するので、洗い残しの発生が防止されると共に、分割片３、１３が被洗浄面の細かな凹凸部分にも当接し、被洗浄面に付着している汚れを掻き取る。その為、洗車機用洗浄ブラシ６は、高い洗浄性能を発揮することができる。また、分割片３、１３は、スリット２が段差状に形成されているので、異なる長さの分割片３、１３が順次、被洗浄面に異なる押付力にて当接する為、汚れを一層除去しやすくなる。
【００４２】
また、分割片１３は加圧痕４により立体的に形成されているので、分割片３、１３の平面部が同時に被洗浄面に当接することが無い。その為、ブラシ片１が被洗浄面に当接する際のバタツキ音を抑制、低減することが可能である。
【００４３】
さらに、隣接する分割片３と分割片１３が洗浄水等により張り付くことが無いので、ブラシ片１の冬季、特に寒冷地における凍結が防止される。
【００４４】
また、加圧痕４が熱加圧されている場合においては、分割片１３が強固に立体形状を形成する。その為、ブラシ片１の毛腰を強く設定して被洗浄面に当接させることができるので、洗浄性能が飛躍的に向上する。
【００４５】
なお、洗車機用洗浄ブラシ１の構造に関しては、特に限定されるものではなく、使用目的に応じて、適時、設定することができる。
【００４６】
（実施例２）
図４は、本発明の第２の実施例におけるブラシ片の部分平面図、図５（Ａ）から（Ｄ）は、他の実施の形態におけるブラシ片の部分拡大平面図である。
【００４７】
図４において、ブラシ片１ａは、端部に円孔１０ａを有するスリット２ａにより細分割された複数の分割片３ａ、１３ａが形成されてあると共に、複数のスリット２ａを横断して加圧痕４ａが分割片３ａ、１３ａの表面に形成されている。その為、分割片３ａ、１３ａは、加圧痕４ａが形成される際の残留歪みにより、三次元的に立体的に変形している。
【００４８】
スリット２ａ、及び円孔１０ａは、トムソン型等の切断刃により形成される。加圧痕４ａは、トムソン型等に、前記切断刃の刃先より僅かに短い突起を設けておくことにより、トムソン型等が上方からブラシ片１ａに押し付けられ、スリット２ａ、及び円孔１０ａを形成する際に、突起が押し付けられることにより形成される。なお、加圧痕４ａは、熱加圧にて形成することもできる。
【００４９】
ブラシ片１ａの動作、作用は下記の通りである。
【００５０】
複数の分割片３ａ、１３ａは、加圧痕４ａによる屈曲、折れ等の変形による立体的な形成を確実にすることができる。従って、立体的に確実に形成された複数の分割片３ａ、１３ａが被洗浄面に当接する為、被洗浄面の曲線部分にも容易に分割片３ａ、１３ａが当接することが可能であり、洗浄性能が大幅に向上する。
【００５１】
次に、図５を用いて、他の実施の形態におけるブラシ片について説明する。
【００５２】
図５（Ａ）において、ブラシ片１ｂは、端部に円孔１０ｂを有するスリット２ｂにより細分割された分割片３ｂ、１３ｂが形成されてあると共に、スリット２ｂを横断して加圧痕４ｂが分割片３ｂ、１３ｂの表面に概Ｖ字形状を有するよう形成されている。その為、分割片３ｂ、１３ｂは、加圧痕４ｂが形成される際の残留歪みにより、立体Ｖ字形に変形している。なお、加圧痕４ｂの形成方法は、前記実施例１と同様、トムソン型等に設けられた突起の押し付け、あるいは熱加圧により形成される。
【００５３】
ブラシ片１ｂは、立体Ｖ字形に変形して形成されているので、分割片３ｂ、１３ｂの側縁部により、被洗浄面に付着している汚れを、スコップで土を掘るが如く掻き出すことができる。
【００５４】
図５（Ｂ）において、ブラシ片１ｃは、端部に円孔１０ｃを有するスリット２ｃにより細分割された分割片３ｃ、１３ｃが形成されてある。また、スリット２ｃを横断して加圧痕４ｂが分割片３ｃ、１３ｃの表面に概Ｖ字形状を有するよう形成されてあると共に、加圧痕４ｂより洗浄側には、加圧痕４ｃが形成されている。その為、分割片３ｃ、１３ｃは、加圧痕４ｂが形成される際の残留歪みにより、立体Ｖ字形に変形する共に、加圧痕４ｃが形成される際の残留歪みにより、先端が傾斜して形成されている。なお、加圧痕４ｂ、４ｃの形成方法は、前記実施例１と同様、トムソン型等に設けられた突起の押し付け、あるいは熱加圧により形成される。
【００５５】
ブラシ片１ｃは、加圧痕４ｂにより立体Ｖ字形に変形しているので、分割片３ｃ、１３ｃの側縁部により、被洗浄面に付着している汚れを、掻き出すことができると共に、加圧痕４ｃにより傾斜した分割片３ｃ、１３ｃの先端部が、被洗浄面に付着している汚れを叩き落とす。
【００５６】
図５（Ｃ）において、ブラシ片１ｄは、端部に円孔１０ｄを有するスリット２ｄにより細分割された分割片３ｄ、１３ｄが形成されてある。また、分割片３ｄ、１３ｄの側縁部近傍と、スリット２ｄの近傍の表面には、加圧痕４ｄが形成されている。その為、分割片３ｄ、１３ｄは、加圧痕４ｄが形成される際の残留歪みにより、立体的に屈曲して変形している。なお、加圧痕４ｄの形成方法は、前記実施例１と同様、トムソン型等に設けられた突起の押し付け、あるいは熱加圧により形成される。
【００５７】
ブラシ片１ｄは、立体的に屈曲して変形しているので、分割片３ｄ、１３ｄは被洗浄面にたいして多角的に当接する為、汚れの掻き取り性能が向上する。
【００５８】
また、加圧痕４ｄは、分割片３ｄ、１３ｄを横断して形成されていない為、被洗浄面に当接した時の分割片３ｄ、１３ｄの強度を向上させることができる。
【００５９】
図５（Ｄ）において、ブラシ片１ｅは、端部に円孔１０ｅを有するスリット２ｅにより細分割された分割片３ｅ、１３ｅが形成されてある。また、スリット２ｅを横断して加圧痕４ｂが分割片３ｅ、１３ｅの表面に概Ｖ字形状を有するよう形成されてあると共に、分割片３ｅ、１３ｅの裏面にも概Ｖ字形状を有するよう加圧痕４ｅが形成されている。その為、分割片３ｅ、１３ｅは、加圧痕４ｂ、４ｅが形成される際の残留歪みにより、屈曲しながら立体Ｖ字形に変形して形成されている。
【００６０】
ブラシ片１ｅは、最初にトムソン型等の切断刃によりスリット２ｅ、及び円孔１０ｅが形成されと同時に、トムソン型等に設けられた前記切断刃より僅かに短い突起が押し当てられることにより、加圧痕４ｂが形成される。次に、ブラシ片１ｅを裏返して、突起が設けられた型を、上方から押し当てて、加圧痕４ｅを形成する。なお、加圧痕４ｂ、４ｅは、熱加圧により形成しても何ら支障は無い。また、前記以外にも、トムソン型の上型と下型の両方に突起を形成して、同時に加圧痕４ｂ、４ｅを形成する形態も採用できる。
【００６１】
ブラシ片１ｅは、立体的に屈曲してＶ字形状に変形しているので、分割片３ｅ、１３ｅは被洗浄面にたいして多面的に当接する為、容易に汚れを掻き取ることができ、洗浄性能が向上する。
【００６２】
（実施例３）
図６は、本発明の第３の実施例におけるブラシ片の部分拡大平面図、図７（Ａ）、及び図７（Ｂ）は、図６のブラシ片の形成過程を示す平面図である。
【００６３】
図６において、ブラシ片１ｆは、端部に円孔１０ｆを有するスリット２ｆにより細分割された分割片３ｆ、１３ｆが形成されてある。また、分割片３ｆ、１３ｆは、捩り部８を有して捩られて形成されてあると共に、捩り部８の近傍には加圧痕４ｆが形成されている。
【００６４】
次に、図７を用いて、ブラシ片１ｆの形成方法について説明する。
【００６５】
最初に、図７（Ａ）の如く、予めトムソン型等により穴スリット１２、及び円孔１０ｆが設けられたシート状体２１を用意する。次に、シート状体２１の両方の側縁部１１を、矢印の如く、穴スリット１２の中に挿入後、反転させる。次に、図７（Ｂ）の如く、スリット形成領域３０の範囲内を、上方から型押し、あるいは熱加圧する。最後に、切断面４０を、カッター、トムソン型等により切断して、図６の如く、加圧痕４ｆの残留歪みにより捩り部８を有して捩られたブラシ片１ｆが製作される。なお、スリット２ｆは、穴スリット１２が切断面４０にて切断されることにより、必然的に形成される。
【００６６】
ブラシ片１ｆの動作、作用は下記の通りである。
【００６７】
ブラシ片１ｆは、分割片３ｆ、１３ｆに形成された捩り部８により、被洗浄面に強固に付着している汚れ、特にワックスやシリコーンを主体とする油性の水垢汚れや鉄粉等を、掻き出して、除去することができる為、洗浄性能が向上する。
【００６８】
（実施例４）
図８は、本発明の洗車機用洗浄ブラシ６が搭載されてある洗車機の正面図である。
【００６９】
図８において、洗車機５１は、本発明の洗車機用洗浄ブラシ６が搭載されてあり、洗車機用洗浄ブラシ６は駆動源５２により回転駆動される。ノズル５３からは、被洗浄面にたいして、洗浄剤、及び洗浄水等が散布され、洗車機用洗浄ブラシ６により、被洗浄面に付着している汚れが除去され、洗浄後は洗車機５１の乾燥手段である乾燥機５４により被洗浄面が乾燥される。
【００７０】
なお、洗車機用洗浄ブラシ６に装着されているブラシ片は、上記実施例におけるブラシ片１、１ａ、１ｂ、１ｃ、１ｄ、１ｅ、１ｆのいずれかと同一である。
【００７１】
上記のように構成された洗車機５１の動作、作用は下記の通りである。
【００７２】
洗車機５１は、洗い残しの無い高い洗浄性能を有する洗車機用洗浄ブラシ６が搭載されてある為、駆動源５２により洗車機用洗浄ブラシ６の回転を低速に設定すると共に、洗浄時間を短時間に設定した場合においても、優れた洗浄性能が発揮される。また、洗車機用洗浄ブラシ６が回転して被洗浄面に当接する際、ブラシ片のバタツキ音の発生を抑えることが可能である。さらに、ブラシ片の凍結が防止されるので、被洗浄面にブラシ片による洗車傷を付着させることが無い。
【産業上の利用可能性】
【００７３】
本発明の洗車機用洗浄ブラシのブラシ片は、主に、自動車あるいは車両の外面の被洗浄面に付着した汚れ等を洗浄する為の洗車機に搭載する洗車機用洗浄ブラシのブラシ片として使用する。
【図面の簡単な説明】
【００７４】
【図１】（Ａ）本発明の洗車機用洗浄ブラシを前面側から見た斜視図、（Ｂ）図１（Ａ）の断面図
【図２】本発明の第１の実施例におけるブラシ片の部分平面図
【図３】（Ａ）ブラシ片の部分拡大斜視図、（Ｂ）図３（Ａ）の正面図
【図４】本発明の第２の実施例におけるブラシ片の部分平面図
【図５】（Ａ）他の実施の形態におけるブラシ片の部分拡大平面図、（Ｂ）他の実施の形態におけるブラシ片の部分拡大平面図、（Ｃ）他の実施の形態におけるブラシ片の部分拡大平面図、（Ｄ）他の実施の形態におけるブラシ片の部分拡大平面図
【図６】本発明の第３の実施例におけるブラシ片の部分拡大平面図
【図７】（Ａ）図６のブラシ片の形成過程を示す平面図、（Ｂ）図６のブラシ片の形成過程を示す平面図
【図８】本発明の洗車機用洗浄ブラシが搭載されてある洗車機の正面図
【符号の説明】
【００７５】
１、１ａ、１ｂ、１ｃ、１ｄ、１ｆ  ブラシ片
２、２ａ、２ｂ、２ｃ、２ｄ、２ｆ  スリット
３、３ａ、３ｂ、３ｃ、３ｄ、３ｆ、１３、１３ａ、１３ｂ、１３ｃ、１３ｄ、１３ｆ  分割片
４、４ａ、４ｂ、４ｃ、４ｄ、４ｆ  加圧痕
５  軸体
６  洗車機用洗浄ブラシ
７  溝部
８  捩り部
９  リベット
１０、１０ａ、１０ｂ、１０ｃ、１０ｄ、１０ｆ  円孔
１１  側縁部
１２  穴スリット
２０、３０  スリット形成領域
２１  シート状体
４０  切断面
５１  洗車機
５２  駆動源
５３  ノズル
５４  乾燥機
【図１】
2008132824.tif 000003
【図２】
2008132824.tif 000004
【図３】
2008132824.tif 000005
【図４】
2008132824.tif 000006
【図５】
2008132824.tif 000007
【図６】
2008132824.tif 000008
【図７】
2008132824.tif 000009
【図８】
2008132824.tif 000010